(57)【要約】【課題】  メガネフレームのツルを折畳み可能に連結する為のツル継手の摺動面に介在するワッシャの提供。【解決手段】  ワッシャはリング状の上側ワッシャ部１ａと下側ワッシャ部１ｂを対を成して有し、上記上側ワッシャ部１ａと下側ワッシャ部１ｂの中心には継手の軸ネジ８が挿通する軸穴１３に嵌る筒部２ａ,２ｂを形成し、そして上記上側ワッシャ部１ａと下側ワッシャ部１ｂの一部を切欠いてスリット溝１４，１４を設け、外周を連結片３ａ，３ｂにて繋いでいる。【選択図】    図１
2014059374.tif 000002
【特許請求の範囲】
【請求項１】
メガネフレームのツルを折畳み可能に連結する為のツル継手の摺動面に介在するワッシャにおいて、該ワッシャはリング状の上側ワッシャ部と下側ワッシャ部を対を成して有し、上記上側ワッシャ部と下側ワッシャ部の中心には継手の軸ネジが挿通する軸穴に嵌る筒部を形成し、そして上記上側ワッシャ部と下側ワッシャ部の外周を連結片にて繋いだことを特徴とするメガネフレームのツル継手用ワッシャ。
【請求項２】
上記連結片にはワッシャ部の外周に沿って延びるストッパーを設けた請求項１記載のメガネフレームのツル継手用ワッシャ。
【請求項３】
上記上側ワッシャ部及び下側ワッシャ部、そして筒部の一部を切欠いてスリット溝を設けた請求項１、又は請求項２記載のメガネフレームのツル継手用ワッシャ。
【請求項４】
メガネフレームのツルを折畳み可能に連結する為のツル継手を構成する蝶番において、該蝶番はフロント側に固定される蝶片とツル側に固定される蝶片の基部から起立するコマが互いに噛み合うと共に軸ネジを介して連結し、上記各コマの摺動面にはワッシャを介在し、該ワッシャはリング状の上側ワッシャ部と下側ワッシャ部を対を成して有し、上記上側ワッシャ部と下側ワッシャ部の中心には蝶番の軸ネジが挿通する軸穴に嵌る筒部を形成し、そして上記上側ワッシャ部と下側ワッシャ部の外周を連結片にて繋いだことを特徴とするメガネフレームのツル継手用蝶番。
【請求項５】
上記連結片にはコマの外周に沿って延びるストッパーを設け、ツルが折畳まれた場合に該ストッパーの先端が基部に当接するようにした請求項４記載のメガネフレームのツル継手用蝶番。
【請求項６】
上記上側ワッシャ部及び下側ワッシャ部、そして筒部の一部を切欠いてスリット溝を設けた請求項４、又は請求項５記載のメガネフレームのツル継手用蝶番。
【発明の詳細な説明】
【技術分野】
【０００１】
本発明はメガネフレームのツルを折畳み出来るように連結する継手の摺動面に介在するワッシャ、及び該ワッシャを組み込んだ蝶番に関するものである。
【背景技術】
【０００２】
図３は従来から用いられているツルを折畳む為のメガネフレームの蝶番である。同図に示すように、該蝶番は蝶片(イ)、(ロ)が軸ネジ(ハ)により連結されて屈曲することが出来る構造と成っていて、一方の蝶片(イ)はその接合面(ニ)がヨロイにロウ付けされ、他方の蝶片(ロ)の接合面(ニ)がツルにロウ付けされる。従って、ツルは該蝶番を介して折畳むことが出来る。
【０００３】
ところで、従来の蝶番は長期間の使用に伴って両蝶片(イ)、(ロ)の摺動面が磨耗してガタ付きが発生する。また両蝶片(イ)、(ロ)を連結している軸ネジ(ハ)の緩みに伴ってガタ付きが生じ、着用したメガネが安定しないことになる。そこで、ツルがガタ付いたならば軸ネジ(ハ)を締め直したり、又両蝶片(イ)、(ロ)の摺動面が磨耗しないように前以てワッシャを介在している。
【０００４】
図４はワッシャ(ホ)、(ホ)を両蝶片(イ)、(ロ)の摺動面に介在している断面を示している。このワッシャ(ホ)は図５に示しているように、円盤部(ヘ)と筒部(ト)から構成され、中心には軸ネジが貫通する穴(チ)が設けられている。そして図４      に示しているようにワッシャ(ホ)の筒部(ト)は蝶片(ロ)のコマ(リ)に設けている軸穴(ヌ)に嵌って取付けられ、摺動面には円盤部(ヘ)が介在することで該摺動面の磨耗が防止される。
【０００５】
従来の蝶番は２個のコマ(ル)、(ル)を有す蝶片（イ）の凹部に1個のコマ(リ)を有す蝶片（ロ）の凸部が嵌って噛み合う為には、ワッシャ(ホ)は円盤部（ヘ）だけで構成される平ワッシャでは両蝶片(イ)、(ロ)を組み付けることが出来ない。すなわち、コマ(リ)の軸穴(ヌ)に筒部(ト)を嵌めて両ワッシャ(ホ)、(ホ)を取付けた状態で組付ける必要がある。
【０００６】
両コマ（ル）、（ル）に形成される凹部とコマ（リ）間のクリアランスは殆どなくて厳しい公差としており、その為に該コマ（リ）の両摺動面に取付けたワッシャ（ホ）、（ホ）は両コマ（ル）、（ル）間の凹部に嵌る際に離脱してしまい、蝶番の組付け作業は容易でない。
【発明の開示】
【発明が解決しようとする課題】
【０００７】
このように、従来のメガネフレームのツル折畳み用蝶番には上記のごとき問題がある。本発明が解決しようとする課題はこの問題点であり、軸ネジが弛まないようにすると共にツル継手の摺動面に簡単に取付けることが出来るワッシャ、及び該ワッシャを取付けたツル継手用蝶番を提供する。
【課題を解決するための手段】
【０００８】
本発明に係るワッシャは対を成す２個のワッシャ部、すなわち上側ワッシャ部と下側ワッシャ部を有し、両ワッシャ部は連結片によって繋がっている。そこで、ワッシャ部は概略リング体であって一部にスリットを設けて切欠かれ、両ワッシャ部は連結片にて繋がれている。そして、連結片からはストッパーがワッシャ部の外周に沿って両方向へ延びている。
【０００９】
ところで、ワッシャ部は継手を構成する中央のコマの両摺動面に当接すると共に、中央には筒部が突出して軸穴に嵌って取付けられる。そして、両ワッシャ部を繋いでいる連結片はコマの外周面に位置し、連結片から延びるストッパー先端はツルを折畳んだ際に継手の各蝶片の基部に当接することが出来る。そこで、上記軸ネジを嵌めるならば、スリットが入って切欠かれている筒部を押し広げ、その結果、軸ネジは筒部によって抱き込まれる。その為に、筒部の内径は軸ネジ外径より僅かに小さく成っている。
【発明の効果】
【００１０】
本発明に係る対を成す２つのワッシャ部は連結片によって繋がれている。そこで、両ワッシャ部を継手を構成する中央のコマ摺動面に当接すると共に筒部を軸穴に嵌めるならば、両ワッシャ部はコマから外れることはない。従って、ワッシャ部を取付けた凸形コマを凹形コマ間に簡単に嵌めることが出来、蝶番の組立て作業は容易と成る。
【００１１】
そして、両ワッシャ部を繋ぐ連結片からはストッパーが両外側へ延びている為に、ツルを折畳む際には両ストッパーの先端が各蝶片の基部に当る。従って、折畳まれるツルの先端がフロント部に接することはなく、その為にレンズがキズ付くこともない。連結片から延びるストッパーは小さくてコマの外周に沿って延びることで、蝶番などの外観が損なわれることはない。
一方、軸穴に嵌った軸ネジはワッシャ部中心に起立する筒部によって抱き込まれることで、該軸ネジの弛みは防止され、ツルの折畳み操作がガタ付くことなく安定する。
【図面の簡単な説明】
【００１２】
【図１】本発明に係るワッシャを示す実施例。
【図２】ワッシャを取付けた蝶番。
【図３】従来の蝶番。
【図４】ワッシャを取付けた従来の蝶番における軸部。
【図５】従来のワッシャを示す具体例。
【発明を実施するための形態】
【００１３】
図１は本発明に係るワッシャを示す実施例であり、同図の１ａは上側ワッシャ部、１ｂは下側ワッシャ部、２ａは上側筒部で上側ワッシャ部１ａと同心を成して中央に下方へ突出して形成され、２ｂは下側筒部で下側ワッシャ部１ｂと同心を成して中央に上方へ突出して形成されている。筒部２ａを有す上側ワッシャ部１ａ、筒部２ｂを有す下側ワッシャ部１ｂは、それぞれ従来のワッシャと同じであるが、本発明では上記上側ワッシャ部１ａ及び筒部２ａの一部が切欠かれてスリット溝１４を成している。同じく、下側ワッシャ部１ｂ及び筒部２ｂも一部が切欠かれてスリット溝１４と成っている。
【００１４】
一部が切欠かれてスリット溝１４，１４を形成したワッシャ部１ａ，１ｂの切口先端は連結片３ａ，３ｂにて繋がれ、上側ワッシャ部１ａと下側ワッシャ部１ｂは対を成して連結している。そして、該連結片３ａ，３ｂからはストッパー４ａ，４ｂが上側ワッシャ１ａ及び下側ワッシャ１ｂの外周に沿って湾曲して延びている。ここで、該ワッシャの材質に関しては特に限定はしないが、一般的にはバネ性に優れた金属質又は樹脂製としている。
【００１５】
図２は上記ワッシャを蝶番５に取付けた場合を示している。蝶番５はフロント側に固定される蝶片６とツル側に固定される蝶片７から成って、各蝶片６，７は軸ネジ８によって屈曲可能に連結されている。蝶番としての基本構造は従来と同じであって、一方の蝶片６には２つのコマ９，９が所定の間隔をおいて基部１０から起立し、他方の蝶片７には１つのコマ１１が基部１２から起立している。そして、コマ１１は両コマ９，９の間に形成される凹部空間に嵌合して軸ネジ８によって連結されている。
【００１６】
ここで、上側ワッシャ部１ａはコマ９とコマ１１の間に介在すると共に、筒部２ａはコマ１１に設けた軸穴１３に嵌っている。同じく下側ワッシャ部１ｂはコマ９とコマ１１の間に介在すると共に、筒部２ｂはコマ１１に設けている軸穴１３に嵌っている。そして、連結片３ａ，３ｂはコマ１１の外周に位置し、該連結片３ａ，３ｂからはストッパー４ａ，４ｂが該コマ１１の外周に沿って延びている。
【００１７】
ところで、蝶片６，７を連結する場合、前以てワッシャはコマ１１に取付けられるが、上側ワッシャ部１ａと下側ワッシャ部１ｂを開いてコマ１１の両摺動面に当接し、筒部２ａ，２ｂをコマ１１の軸穴１３に嵌める。ワッシャはバネ性に優れた材質で構成されている為に、上側ワッシャ部１ａと下側ワッシャ部１ｂを押し開いてコマ１１に嵌めることが出来、一旦嵌った上側ワッシャ部１ａと下側ワッシャ部１ｂは連結片３ａ，３ｂによって繋がれている為に、コマ１１から外れ落ちることはない。従って、コマ１１を両コマ９，９間の凹部空間に嵌める場合に、上側ワッシャ部１ａ及び下側ワッシャ部１ｂはコマ１１と共に組付けることが出来る。
【００１８】
そして、図１に示すように、蝶番に取付ける前の筒部２ａ，２ｂの外径は軸穴１３の内径より小さく成っており、また筒部２ａ，２ｂの内径は軸ネジ８の外径より小さく成っている。従って、コマ１１の軸穴１３に嵌入した筒部２ａ，２ｂは、軸ネジ８が嵌ることで押広がられ、その結果、軸ネジ８は筒部２ａ，２ｂによって抱き込まれる。その結果、ツルの折畳み操作に伴って蝶片６，７が屈曲する場合、筒部２ａ，２ｂに抱き込まれた軸ネジ８は弛み難くなる。図２（ｂ）に示しているように、軸ネジ８が嵌ることでスリット溝１４，１４は拡大し、両連結片３ａ，３ｂの間には隙間１５が形成される。
【００１９】
そして、ワッシャを取付けた蝶番は、その摺動面の摩耗が抑制されて、軸ネジの弛みもなく、ツルは何時までも安定して折畳み操作が出来る。ワッシャに設けているストッパー４ａ，４ｂは、ツルが折畳まれるならばストッパー先端は基部１０，１２に当ることでツル先端がフロント部に当らないようになる。
【００２０】
ツルが折畳まれることで基部１０，１２は屈曲してストッパー４ａ，４ｂの先端に当り、その結果、ストッパー４ａ，４ｂは撓み変形する。特に、上側ワッシャ部１ａ及び下側ワッシャ部１ｂの一部が切欠かれてスリット溝１４，１４を形成していることで、連結片３ａ，３ｂは捩れて該ストッパー４ａ，４ｂは撓み易くなる。
【００２１】
ところで、上記実施例では上側ワッシャ部１ａ及び下側ワッシャ部１ｂはその一部を切欠いてスリット溝１４，１４を設けているが、スリット溝１４，１４の無いリング状のワッシャ部として構成することも可能である。この場合には、軸ネジ８を抱き込む機能はないが、連結片３があることでワッシャの取付け作業は簡単と成る。そして、連結片３からストッパー４ａ,４ｂを両側へ延ばすことが出来る。
【符号の説明】
【００２２】
１   ワッシャ部
２   筒部
３   連結片
４   ストッパー
５   蝶番
６   蝶片
７   蝶片
８   軸ネジ
９   コマ
10   基部
11   コマ
12   基部
13   軸穴
14   スリット溝
15   隙間
【図１】
2014059374.tif 000003
【図２】
2014059374.tif 000004
【図３】
2014059374.tif 000005
【図４】
2014059374.tif 000006
【図５】
2014059374.tif 000007